(57)【要約】  【課題】冷蔵庫において１６０ｃｍ以上の高さを有する断熱箱体と、断熱箱体の前面開口部を覆う開閉扉と、冷却装置とを備え、前期断熱箱体の庫内天面部の奥から１００ｍｍより手前の天面部に薄板状の反射鏡を設けること。  【解決手段】冷蔵庫１１における冷蔵室１２の天面１８の庫内最奥部１９から１００ｍｍより手前に可とう性を有する樹脂フィルム等からなる反射鏡２０を設けることにより反射鏡２０に映った庫内奥の貯蔵物を目視確認することが可能となり、使勝手を向上させることができる。【選択図】図１
2005300094.tif 000002
【特許請求の範囲】
【請求項１】
１６０ｃｍ以上の高さを有する断熱箱体と、断熱箱体の前面開口部を覆う開閉扉と、冷却装置とを備え、前記断熱箱体の庫内天面部の奥から１００ｍｍより手前の天面部に薄板状の反射鏡を設けた冷蔵庫。
【請求項２】
反射鏡の表面に親水性処理を施した請求項１に記載の冷蔵庫。
【請求項３】
反射鏡が１ｍｍ以下の樹脂フィルム表面に一体に形成された請求項１または２に記載の冷蔵庫。
【請求項４】
反射鏡が鏡面仕上げされたアルミニウム薄板にアルマイト処理を施した請求項１から３のいずれか一項に記載の冷蔵庫。
【請求項５】
反射鏡を後ろ下がりに傾斜させ、後方端辺部に吸水性材料を形成した請求項１から４のいずれか一項に記載の冷蔵庫。
【発明の詳細な説明】
【技術分野】
【０００１】
本発明は、庫内上部の使い勝手を向上する冷蔵庫に関するものである。
【背景技術】
【０００２】
最近の冷蔵庫は大型化が進み、それに伴い冷蔵庫の高さも高くなってきている。最も普及している庫内体積３００リットル以上の冷蔵庫では、冷蔵庫の高さは１６０ｃｍ以上、庫内天面部の高さは１５５ｃｍ以上が一般的である。日本の成人女性の平均身長は１５７ｃｍ、視線は１４５ｃｍ程度である。従って平均身長の成人女性でも、冷蔵庫の最上棚の奥に貯蔵した貯蔵物を目視確認することは困難であるという問題がある。従来、この問題を解消する冷蔵庫として庫内上部の奥に角度調整可能な鏡を設けることが提案されている（例えば、特許文献１参照）。
【０００３】
図３は、特許文献１に記載された従来の冷蔵庫の冷蔵室の縦断面図を示すものである。図３に示すように、冷蔵庫１は、上から下へ順に、冷蔵室２、冷凍室３、野菜室４を有し、冷蔵室２内には、複数の棚５を設けている。これら各室の前面開口には冷蔵室２には回転式の開閉扉６、冷凍室３、野菜室４には引き出し扉７を有する。又、最上部である冷蔵室２の天面７に、鏡８と鏡８を回転させる軸９と、庫内上部に取り付けるための金具１０等から構成されている。
【特許文献１】特開２００１−９９５３３号公報
【発明の開示】
【発明が解決しようとする課題】
【０００４】
しかしながら、上記従来の構成では、鏡を回転させるために部品として複雑になる。鏡を傾斜させて用いる際鏡が貯蔵物に接触し汚れたり、鏡の直近物しか見えずある程度広い範囲が見えない、貯蔵スペースが減少する等の課題を有していた。又庫内上部の奥に角度調整可能な鏡を設ける構造では、実際には平均身長の成人女性が、鏡を目視確認することは困難である。
【０００５】
本発明は、上記従来の課題を解決するもので、貯蔵スペースを減少させることがなく、庫内上部の使い勝手を向上することを目的とする。
【課題を解決するための手段】
【０００６】
上記従来の課題を解決するために、本発明の冷蔵庫は、１６０ｃｍ以上の高さを有する冷蔵庫の庫内天面部の奥から１００ｍｍより手前の天面部に薄板状の反射鏡を設けたものである。
【０００７】
これにより、平均的な身長の日本の成人女性でも簡単に冷蔵庫庫内の天面部に設けた反射鏡、すなわち反射鏡に映った庫内奥の貯蔵物を目視確認することが可能となるのである。反射鏡の位置は庫内天面部の奥は死角となり無意味であり、奥から１００ｍｍより手前で十分最奥部に位置する貯蔵物を確認することができる。
【０００８】
また、本発明の冷蔵庫は反射鏡の表面に親水性処理を施したものである。
【０００９】
これにより、開閉扉を開けた際高温、高湿空気が進入し反射鏡に水分が結露する場合も、反射鏡表面で結露水滴が薄膜状に広がり、曇って見えにくくなることがなく、鮮明に反射鏡に映った庫内奥の貯蔵物を目視確認することができる。
【００１０】
また、本発明の冷蔵庫は、反射鏡が１ｍｍ以下の樹脂フィルム表面に一体に形成されたものである。
【００１１】
これにより、反射鏡自体が可とう性を有し、接着剤等で簡単に庫内天面部に固定、設置することができ、また庫内の体積を減少させることもない。
【００１２】
また、反射鏡が鏡面仕上げされたアルミニウム薄板にアルマイト処理を施したものである。
【００１３】
これにより、新たに親水性処理を施すことなく耐食性、親水性効果を有した反射鏡が作成可能である。
【００１４】
また、反射鏡を後ろ下がりに傾斜させ、端辺部に吸水性材料を形成したものである。
これにより、開閉扉を開けた際、万一異常な高湿空気が進入し、反射鏡への過多な結露が生じた際も、貯蔵品への水分の滴下等がない。
【発明の効果】
【００１５】
本発明の冷蔵庫は庫内の体積を減少させることなく、簡単な構成で、平均的な日本の成人女性でも冷蔵庫庫内の奥の貯蔵物を目視確認することが可能な冷蔵庫を提供することが可能となる。
【００１６】
また、本発明の冷蔵庫は開閉扉を開けた際にも、結露等により庫内の奥の貯蔵物を映す反射鏡が見えにくくなるという問題も解消することができる。
【発明を実施するための最良の形態】
【００１７】
請求項１に記載の発明は、１６０ｃｍ以上の高さを有する断熱箱体と、断熱箱体の前面開口部を覆う開閉扉と、冷却装置とを備え、前記断熱箱体の庫内天面部の奥から１００ｍｍより手前の天面部に薄板状の反射鏡を設けたことにより、平均的な身長の日本の成人女性でも簡単に冷蔵庫庫内の天面部に設けた反射鏡、すなわち反射鏡に映った庫内奥の貯蔵物を目視確認することが可能となるのである。反射鏡の位置は庫内天面部の奥は死角となり無意味であり、奥から１００ｍｍより手前で十分最奥部に位置する貯蔵物を確認することができる。
【００１８】
請求項２に記載の発明は、請求項１に記載の発明において、反射鏡の表面に親水性処理を施したことにより、冷蔵庫の開閉扉を開けた際高温、高湿空気が進入し反射鏡に水分が結露する場合も、反射鏡表面で結露水滴が薄膜状に広がり、曇って見えにくくなることがなく、鮮明に反射鏡に映った庫内奥の貯蔵物を目視確認することが可能となる。
【００１９】
請求項３に記載の発明は、請求項１または２に記載の発明において、反射鏡が１ｍｍ以下の樹脂フィルム表面に一体に形成されたことにより、反射鏡自体が可とう性を有し、接着剤等で簡単に庫内天面部に固定、設置することができ、また庫内の体積を減少させることもない。
【００２０】
請求項４に記載の発明は、請求項１から３のいずれか一項に記載の発明において、反射鏡が鏡面仕上げされたアルミニウム薄板にアルマイト処理を施したものであり、新たに親水性処理を施すことなく耐食性、親水性効果を有した反射鏡を提供することが可能である。
【００２１】
請求項５に記載の発明は、請求項１から４のいずれか一項に記載の発明において、反射鏡を後ろ下がりに傾斜させ、後方端辺部に吸水性材料を形成したものであり、開閉扉を開けた際、万一異常な高湿空気が進入し、反射鏡への過多な結露が生じた際も、貯蔵品への水分の滴下等がない。
【００２２】
以下、本発明の実施の形態について、図面を参照しながら説明する。なお、この実施の形態によってこの発明が限定されるものではない。
【００２３】
（実施の形態１）
図１は、本発明の実施の形態１における冷蔵庫の縦断面図を示すものである。
【００２４】
図１において、冷蔵庫１１は平均的な大型冷蔵庫の１８０ｃｍの高さであり、上から下へ順に、冷蔵室１２、野菜室１３、冷凍室１４を有し、冷蔵室１２内には、複数の棚１５を設けている。これら各室の前面開口には冷蔵室２には回転式の開閉扉１６、野菜室１３、冷凍室１４には引き出し扉１７を有する。又、最上部である冷蔵室１２の天面１８の設置面からの高さは約１７５ｃｍであり、天面１８の庫内最奥部１９から１００ｍｍより手前に反射鏡２０を設けている。反射鏡２０は可とう性を有する樹脂フィルム表面にアルミニウム蒸着を施し、更にその表面を親水化処理したものである。
【００２５】
以上のように構成された冷蔵庫について、以下その動作、作用を説明する。
【００２６】
まず、冷蔵室の最上段の、設置面から約１５５ｃｍの高さに位置する棚に食品等を保存した場合、視線位置が約１４５ｃｍから１５５ｃｍでる平均的な身長の日本の成人女性の場合、棚の奥にある保存物は、背伸びしないと直接確認できないが、本実施の形態により簡単に冷蔵庫庫内の天面部に設けた反射鏡、すなわち反射鏡に映った庫内奥の貯蔵物を目視確認することが可能となるのである。反射鏡の位置は庫内天面部の奥は死角となり無意味であり、奥から１００ｍｍより手前で十分最奥部に位置する貯蔵物を確認することができる。
【００２７】
また、本実施の形態の冷蔵庫は反射鏡の表面に親水性処理を施したものであり、開閉扉を開けた際高温、高湿空気が進入し反射鏡に水分が結露する場合も、反射鏡表面で結露水滴が薄膜状に広がり、曇って見えにくくなることがなく、鮮明に反射鏡に映った庫内奥の貯蔵物を目視確認することができる。
【００２８】
また、本実施の形態の冷蔵庫は、反射鏡が１ｍｍ以下の樹脂フィルム表面に一体に形成されたものである。
【００２９】
これにより、反射鏡自体が可とう性を有し、接着剤等で簡単に庫内天面部に固定、設置することができ、また庫内の体積を減少させることもない。
【００３０】
（実施の形態２）
図２は、本発明の実施の形態２における冷蔵庫の冷蔵室の縦断面図を示すものである。
【００３１】
図２において、冷蔵庫１１は平均的な大型冷蔵庫の１８０ｃｍの高さであり、最上部である冷蔵室１２の天面１８は庫内奥方向が低くなるような傾斜を設けている。反射鏡２０はアルミニウム薄板の表面にアルマイト処理を施し、最奥部端辺部に吸水性シート２１を設けたものである。
【００３２】
以上のように構成された冷蔵庫について、以下その動作、作用を説明する。
【００３３】
まず、冷蔵室の最上段の、設置面から約１５５ｃｍの高さに位置する棚に食品等を保存した場合、視線位置が約１４５ｃｍから１５５ｃｍでる平均的な身長の日本の成人女性の場合、棚の奥にある保存物は、背伸びしないと直接確認できないが、本実施の形態により簡単に冷蔵庫庫内の天面部に設けた反射鏡、すなわち反射鏡に映った庫内奥の貯蔵物を目視確認することが可能となるのである。反射鏡の位置は庫内天面部の奥は死角となり無意味であり、奥から１００ｍｍより手前で十分最奥部に位置する貯蔵物を確認することができる。
【００３４】
また、本実施の形態の冷蔵庫は、反射鏡が鏡面仕上げされたアルミニウム薄板にアルマイト処理を施したものであり、新たに親水性処理を施すことなく耐食性、親水性効果を有した反射鏡が作成可能である。
【００３５】
また、反射鏡を後ろ下がりに傾斜させ、端辺部に吸水性シートを形成したものであり、これにより、開閉扉を開けた際、万一異常な高湿空気が進入し、反射鏡への過多な結露が生じた際も、貯蔵品への水分の滴下等がない。
【産業上の利用可能性】
【００３６】
以上のように、本発明にかかる冷蔵庫は庫内の体積を減少させることなく、簡単な構成で、平均的な日本の成人女性でも冷蔵庫庫内の奥の貯蔵物を目視確認することが可能な冷蔵庫を提供することが可能となるので、冷蔵庫、冷凍庫はもとより、食品、食器、その他様々な貯蔵庫等の用途にも適用できる。
【図面の簡単な説明】
【００３７】
【図１】本発明の実施の形態１における冷蔵庫の縦断面図
【図２】本発明の実施の形態２における冷蔵室の縦断面図
【図３】従来の冷蔵庫の冷蔵室縦断面図
【符号の説明】
【００３８】
１１  冷蔵庫
１６  開閉扉
１８  天面
１９  最奥部
２０  反射鏡
２１  吸水性シート
【図１】
2005300094.tif 000003
【図２】
2005300094.tif 000004
【図３】
2005300094.tif 000005